(57)【要約】      （修正有）【課題】構造が簡単で、耐用期間が長い回転式傘の下ロクロを提供する。【解決手段】本考案の回転式傘の下ロクロは主に回転部１と主体２の２部分だけを含み、主体２は傘の中棒と繋がり、回転部１は傘骨と繋がる、主体２に回転部１と繋がる係合部２１があり、その係合部２１に丸型の外壁２１１があり、外壁２１１の下側に回転部１を留める留め具２１３がある、外壁２１１の一部に回転部１を止める突出台２１２があり、外壁２１１の先端に弾力性開き口２１２３があり、弾力性開き口２１２３は突出台２１２を貫き、その回転部１は突出台２１２と留め具２１３の間にある。【選択図】図１
0003206915.tif 000002
【実用新案登録請求の範囲】
【請求項１】
主体と回転部を含み、前記主体は傘の中棒と繋がり、回転部は傘骨と繋がる、その特徴として、主体に回転部と繋がる係合部がある、その係合部に丸型の外壁があり、外壁の下側に回転部を留める留め具がある、外壁の一部に回転部を止める突出台があり、外壁の先端に弾力性開き口があり、弾力性開き口は突出台を貫き、その回転部は突出台と留め具の間にある回転式傘の下ロクロ。
【請求項２】
前記突出台の先端辺縁に円形の倒面が設置されている請求項1に記載の回転式傘の下ロクロ。
【請求項３】
前記回転部の材質はエンジニアリング・プラスティックである請求項2に記載の回転式傘の下ロクロ。
【請求項４】
前記主体に手持部があり、その手持部は係合部の下にあり、その留め具の外径は回転部の外径より大きい請求項3に記載の回転式傘の下ロクロ。
【請求項５】
手持部がスイッチを有し、そのスイッチに、押し釦、方向引導環、及び、位置固定用突出部を設け、その方向引導環は押し釦と位置固定用突出部を繋いでおり、その位置固定用突出部は押し釦に対向し、前記手持部の内側に方向引導環に対応する穴が開いている請求項4に記載の回転式傘の下ロクロ。
【請求項６】
前記位置固定用突出部と手持部の内壁の間に復位スプリングがある請求項5に記載の回転式傘の下ロクロ。
【請求項７】
主体の内壁断面は正六辺形であり、該主体は、断面が正六辺形の中棒を覆い、中棒に位置固定用突出部が嵌る位置固定穴がある請求項6に記載の回転式傘の下ロクロ。
【考案の詳細な説明】
【技術分野】
【０００１】
本考案は回転式傘の下ロクロに関する。
【背景技術】
【０００２】
申請番号「2012203445658.2」である中国特許で回転可能な自動開閉傘を開示し、この傘には中棒・傘骨・上ロクロ・下ロクロ・石突きが含まれる。その傘骨に内親骨・側骨・支え骨がある。その上ロクロに上ロクロ回転部と上ロクロ位置固定部がある。その上ロクロ位置固定部にある突出台が上ロクロ回転部の穴に噛み合う。その中棒の先端が上ロクロ位置固定部の内部に固定され、下ロクロは下ロクロ方向引導部、下ロクロ回転部、下ロクロ主体部で構成される。その下ロクロ回転部は下ロクロ方向引導部と下ロクロ主体部との間にあり、傘骨と傘布が回される場合、抵抗力を分解し、傘の耐用期間を延ばす。
【０００３】
上記の特許で方向引導部、回転部、主体部で構成される下ロクロを紹介している。取り付ける時に、回転部を主体につけ、方向引導部と主体部との息合わせで回転部を軸方向に固定する。固定の仕方が複雑で、3部品を生産しなければならず、工程が多く、構造が複雑で、部品が多い構造であるので、使用時の故障率が高く、耐用期間も短い。
【考案の概要】
【考案が解決しようとする課題】
【０００４】
現存技術の不足に対して、本考案は2部しか含まれず、構造簡単で、耐用期間が長い回転可能な傘にある下ロクロを提供していくことを課題とする。
【課題を解決するための手段】
【０００５】
上記の目的を実現するために、本考案は以下の技術ソリューションを提供する。すなわち、本考案は、主に、主体、回転部を含み、主体は傘の中棒と繋がり、回転部は傘骨と繋がる。その特徴として、主体に回転部と繋がる係合部がある。その係合部に丸型の外壁があり、外壁の下側に回転部を留める留め具がある。外壁の一部に回転部を止める突出台があり、外壁の先端に弾力性開き口がある。この弾力性開き口は突出台を貫き、その回転部は突出台と留め具の間にある。
【０００６】
さらに、突出台の先端辺縁に円形の倒面が設置されている。
【０００７】
さらに、回転部の材質はエンジニアリング・プラスティックである。
【０００８】
さらに、主体に手持部があり、その手持部は係合の下にあり、その留め具の外径は回転部外径より大きい。
【０００９】
さらに、手持部にスイッチがあり、そのスイッチに押し釦、方向引導環、位置固定用突出部があり、その方向引導環は押し釦と位置固定用突出部を繋いでおり、その位置固定用突出部は押し釦に対向し、手持部の内側に方向引導環に対応する穴が開いている。
【００１０】
さらに、その位置固定用突出部と手持部の内壁の間に復位スプリングがある。
【００１１】
回転可能な下ロクロの傘は中棒が含まれる。前記主体は中棒を覆い、中棒の断面は正六辺形で、その主体の内壁断面は正六辺形である。中棒に位置固定用突出部が嵌る位置固定穴がある。
【考案の効果】
【００１２】
現存の技術と比べて、本考案の有益な効果は、主体と回転部という2部分しか要らないため、回転部の自由回転を実現でき、取り付け時がより簡単に、生産において部品が少なく、工程が簡単で、使用時は壊れにくい。本考案は係合部の弾力性ある空き口の収縮で、回転部を嵌らせ、留め具と突出台で噛み合い部を外壁へ固定し、限定構造が簡単で、使用効果がさらに良い。
【図面の簡単な説明】
【００１３】
【図１】本考案の回転可能傘の下ロクロ立体構造図である。
【図２】本考案の回転可能傘の下ロクロの正面図である。
【図３】図面2のA-Aの断面図である。
【図４】本考案にあるボタンスイッチの立体構造図である。
【考案を実施するための形態】
【００１４】
図1−図4を参照して、本考案の回転可能な傘の下ロクロの実施例をさらに説明する。
【００１５】
回転可能な傘の下ロクロは、図１、図２に示す通り、主に、回転部1と、主体2と、を含む。主体2は傘の中棒（図示略）と繋がり、回転部1は傘骨（図示略）と繋がる。その主体2に回転部1と繋がる係合部21がある。その係合部21に丸型の外壁211があり、外壁211の下側に回転部1を留める留め具213がある。外壁211の一部に回転部1を止める上方及び半径方向外側に突出する突出台212がある。外壁211の先端に弾力性開き口2123があり、弾力性開き口2123は突出台212を縦方向に部分的に貫き、その回転部1は突出台212と留め具213の間にある。
【００１６】
生産時、回転部1と主体2という2部分しか要らないため、回転部1の軸方向移動を制限し、円周回転を実現できる主体2の構造が簡単となり、生産コストが低減する。回転部１を主体2に取り付ける時、係合部21の弾力性開口2123が収縮し、一時的に突出台212の外径を減らし、突出台212を通じて、回転部1を係合部21の外壁211に噛み合わせると、弾力性開口2123が復位して、突出台212と留め具213が回転部1の軸方向の移動を制限する。
【００１７】
本実施例の突出台212の先端辺縁に円形の倒面を設置し、その倒面は下方に向かって拡径するようになっていて、回転部1が突出台212を経て、係合部21の外壁211に噛み合わせる。
【００１８】
本実施例では回転部1の材質は、エンジニアリング・プラスチックが好ましい。エンジニアリング・プラスチックが軽いため、傘全体の重さを減らし、エンジニアリング・プラスチックは耐摩耗性が良く、回転部1が回転する時、摩耗で内径を大きくすることがない。エンジニアリング・プラスチックは突出した摩耗抵抗性があり、回転部1と主体2との摩擦力を減らし、使用期間を延ばす。
【００１９】
本実施例は主体2に手持部22があることが好ましく、その手元22は、係合部21の下に噛み合い、留め具213の外径は回転部1の外径より大きい。手持部22を引っ張って傘を閉める時、留め具213は回転部1と繋がる傘骨（図示略）が手を傷つけることを防ぐ。
【００２０】
本実施例は手持部22にボタンスイッチ3を設置することが好ましく、図３、図４に示す通り、そのボタンスイッチ3に押し釦31、方向引導環32、位置固定突出部33がある。その方向引導環32は押し釦31と位置固定用突出部33を繋いでいる。図４に示す通り、その位置固定用突出部33は押し釦31に対向し、手持部22の内側に方向引導環32と合わせた穴が開いている。実際の使用時、傘の中棒が方向引導環32を突き抜け、押し釦31で位置固定用突出部33と中棒との固定又は固定解除がなされる。固定の場合、位置固定用突出部33は傘骨（図示略）から押され、中棒（図示略）の位置固定穴に噛み合い、方向引導環32と方向引導穴223と合わせて、位置固定用突出部33の形状変化や破損を防ぎ、ボタンスイッチ3の使用寿命を延ばすことができる。方向引導穴223はボタンスイッチ3の運動方向をナビできる。現存の技術では直接に押し釦31の一側に位置固定用突出部33を増設するため、押し釦31と位置固定用突出部33が移動して、破損を受けるが、これを防止できる。
【００２１】
本実施例では、位置固定用突出部33と手持部22内壁の間に復位スプリング23があることが好ましい。復位スプリング23で押し釦31の表面と手持部22の表面の相対位置が一定（図では面が連続）となるように調整され、ボタンスイッチ3が崩れることを防ぐ。
【００２２】
手持部22の底部に管状の留めリング221を設置し、留めリング221で手持部22へのコントロールを強め、手からの滑落を防ぐ。
【００２３】
傘は回転可能な下ロクロ、中棒を含み、主体2は中棒を覆い、中棒の断面は正六辺形で、その主体2の内壁断面は正六辺形である。中棒に位置固定用突出部33が嵌る位置固定穴がある。
【００２４】
以上の本考案は最良な実施方法であるが、その保護範囲はそれだけに限らない。本考案の思想に属する技術ソリューション案は本考案の保護範囲に含まれる。本技術分野の技術者にとって、本考案の原理から離れていない改善と修飾は本考案の保護範囲と見做される。
【符号の説明】
【００２５】
1・・・回転部
2・・・主体
21・・・係合部
211・・・外壁
212・・・突出台
2123・・・弾力性開口
213・・・留め具
22・・・手持部
221・・・留めリング
223・・・方向引導穴
23・・・復位スプリング
3・・・ボタンスイッチ
31・・・押し釦
32・・・方向引導環
33・・・位置固定突出部
【図１】
0003206915.tif 000003
【図２】
0003206915.tif 000004
【図３】
0003206915.tif 000005
【図４】
0003206915.tif 000006